(57)【要約】【課題】ワイヤレスマウスの受信手段を内蔵させた情報処理装置において電波吸収による性能劣化を防ぐ。【解決手段】ワイヤレスマウス１０４の制御信号を受信するＲＦモジュール１０５を内蔵する第１の筐体１０１の上面にはキーボード１０３が配置される。その下部に板金１０３２が配置される。ＲＦモジュール１０５は、板金１０３２の下部に配置され、板金１０３２は、ＲＦモジュール１０５が下部に配置される箇所（中空部１０３２２）に肉抜きがされている。【選択図】図４
2014085906.tif 000002
【特許請求の範囲】
【請求項１】
ワイヤレスマウスと、
前記ワイヤレスマウスの制御信号を送受信するＲＦモジュールと、
前記ＲＦモジュールを内蔵する筐体と、
前記筐体の上面に配置されるキーボードであって、その下部に板金が配置される前記キーボードと、を備え、
前記ＲＦモジュールは、前記板金の下部に配置され、
前記板金は、前記ＲＦモジュールが下部に配置される箇所に肉抜きがされている
ことを特徴とする情報処理装置。
【請求項２】
前記ＲＦモジュールは、アンテナを備え、前記板金は、少なくとも前記アンテナを覆う箇所が肉抜きされていることを特徴とする請求項１に記載の情報処理装置。
【請求項３】
前記ＲＦモジュールと情報処理装置のシステムとのインターフェイスが汎用シリアルバスインターフェイスであることを特徴とする請求項１又は２に記載の情報処理装置。
【発明の詳細な説明】
【技術分野】
【０００１】
本発明は、情報処理装置に関し、特に、ノートブック型パーソナルコンピュータ（以下、ノートパソコンと称する）などの情報処理装置の筐体構造に関する。
【背景技術】
【０００２】
近年、ノートパソコンは、多機能化や高速処理化が進むとともに、使いやすさの向上が図られている。使いやすさを向上させる工夫としては、例えば、ノートパソコンに接続する周辺機器の、物理的な接続インターフェイスを簡便なものに置き換えるというものがある。
【０００３】
従来、パソコンにキーボードやマウスを接続するインターフェイスとしては、ＰＳ／２がデファクトスタンダードであった。これをＵＳＢ（Ｕｎｉｖｅｒｓａｌ  Ｓｅｒｉａｌ  Ｂｕｓ）インターフェイスに置き換えると、開いているＵＳＢポートならどこにでもマウス等を接続させて使えるようにすることができる。長いコードが不要になるなどの使いやすさの向上が見込める。
【０００４】
また、通信経路を無線化することでも使いやすさが向上する。いわゆるワイヤレスマウスを使い、ノートパソコンとマウスの間の通信を無線化すると、コードそのものが不要になり、使いやすさが向上する。
【０００５】
特許文献１には、上述のようなノートパソコンにおける使いやすさの向上を課題とした発明が開示されており、操作感の向上と堅牢性に優れた情報処理装置が図られている。
【先行技術文献】
【特許文献】
【０００６】
【特許文献１】特開２００９−０８０８００号公報
【発明の概要】
【発明が解決しようとする課題】
【０００７】
使いやすさを考慮して、ノートパソコンのポインティングデバイスとしてワイヤレスマウスを用いることにする。また、システムとマウスのインターフェイスとしては、ドライバの安定性や価格の安さを考慮して、ＵＳＢを使う。そうするとマウスから受信される電波の受信手段は、ＵＳＢインターフェイスを持つＲＦ（Ｒａｄｉｏ  Ｆｒｅｑｕｅｎｃｙ）モジュールとなる。
【０００８】
従来、そのようなＲＦモジュールは、ＵＳＢポートを一つ消費するドングルのような形態で提供されることが一般的であった。しかしながら、それではユーザが利用できるＵＳＢポートが一つ減ってしまうことになる。ＲＦモジュールを内蔵させたい。そこで、ＲＦモジュールを内蔵させた場合の配置構造が問題となる。
【０００９】
ノイズ等の影響を避けるため配線を短くすることが好ましく、配置箇所は、ＣＰＵ（中央演算装置）等を有するマザーボード（若しくはメインボード）と呼ばれるノートパソコンの中心的な部品の上やその近傍がよい。ところが、そのあたりは、通常キーボードが上に配置され、ユーザがキーを押圧する力が内部に作用することを防ぐために剛性をいくぶん高める必要があることから、金属製の板金で覆われていることがある。
【００１０】
その場合、無線受信手段は、板金が電波を吸収し、ノイズによりワイヤレスマウスの性能が落ちる。電波吸収は素材がアルミニウムのときに特に顕著である。本願はこのような課題を解決するためのものである。なお、この課題に関して、ＵＳＢインターフェイスを持つＲＦモジュールを中心に考察してきたが、この課題がＵＳＢインターフェイスを持つＲＦモジュールに限定、特殊化されるものでないことは言うまでもない。
【００１１】
本発明は、上記実情に鑑みてなされたものであって、ワイヤレスマウスの受信手段を内蔵させた情報処理装置において電波吸収による性能劣化を防ぐことを目的とする。
【課題を解決するための手段】
【００１２】
上記目的を達成するために本発明に係る情報処理装置は、ワイヤレスマウスと、前記ワイヤレスマウスの制御信号を受信するＲＦモジュールと、前記ＲＦモジュールを内蔵する筐体と、前記筐体の上面に配置されるキーボードであって、その下部に板金が配置される前記キーボードと、を備え、前記ＲＦモジュールは、前記板金の下部に配置され、前記板金は、前記ＲＦモジュールが下部に配置される箇所に肉抜きがされていることを特徴とする。
【発明の効果】
【００１３】
本発明によれば、ワイヤレスマウスの受信手段を内蔵させた情報処理装置において電波吸収による性能劣化を防ぐことが可能となる。
【図面の簡単な説明】
【００１４】
【図１】本発明の実施形態の外観例を示す図である。
【図２】図１の第１の筐体１０１が有する基板等の積層関係を示す図である。
【図３】図２の板金１０３２を底面側から見た構成を示す図である。
【図４】図２のマザーボード１０１３にＲＦモジュール１０５が取り付けられた中空部１０３２２近傍の状態を示す図である。
【図５】図４のＲＦモジュール１０５のブロック図である。
【発明を実施するための形態】
【００１５】
図１に、本実施形態の外観例を示す。図１に示す情報処理装置１００は、いわゆるノートパソコンとして構成されている。情報処理装置１００は、キーボード１０３を備えた第１の筐体１０１と、液晶モニタを備えた第２の筐体１０２とから構成されている。第１の筐体１０１と第２の筐体１０２とは、ヒンジ機構によって回動自在に結合している。
【００１６】
図２に、第１の筐体１０１が有する基板等の積層関係を示す。第１の筐体１０１は、上面筐体１０１１と底面筐体１０１２からなる。ただし、その他の部材を含んでもよく、上面筐体１０１１と底面筐体１０１２が一体に構成されてもよい。第１の筐体１０１は、上面筐体１０１１と底面筐体１０１２の間に、上から順に、キートップ１０３１、板金１０３２、マザーボード１０１３が挟み込まれる。
【００１７】
キーボード１０３は、いわゆるアイソレーション型であり、キーとキーとの間が離れている。上面筐体１０１１は、千鳥格子状の中空部１０１１１を有し、キートップ１０３１の上面に配置されている各キーが中空部１０１１１を通して外に露出する。キートップ１０３１は、文字が印字されておりユーザが指で押下する複数のキーからなる。
【００１８】
第１の筐体１０１は、昨今のノートパソコンに対する市場の要求から非常に薄く作られることを目標としており、剛性の確保が一つの課題である。板金１０３２は、キーボード１０３の一部をなし、上に配置されるキートップ１０３１の各キーをユーザが押圧する力が、内部のマザーボード１０１３などに作用することを防ぐことを一つの目的として配置される金属製の部材である。素材を限定するものではないが、軽量化の観点から、例えばアルミニウムないしアルミニウム合金で構成する。
【００１９】
マザーボード１０１３は、ＣＰＵ（中央演算装置）等を有する情報処理装置１００の中心的な部品である。なお、図２には、ＨＤＤやＳＳＤや電源やバッテリといった部材の記載は省略してある。
【００２０】
図３に、板金１０３２を底面側から見た構成を示す。図示のように、板金１０３２は、可撓性のある薄片状のケーブル１０３２１が取り付けられ、左前あたりに中空部１０３２２を有する。中空部１０３２２は、板金１０３２に、いわゆる肉抜きをして形成され、英語１０１キーボードにおける左シフトキーの下部に形成される。
【００２１】
図４に、マザーボード１０１３にＲＦモジュール１０５が取り付けられた中空部１０３２２近傍の状態を示す。図４に示すように、底面側からは、中空部１０３２２を介してキートップ１０３１が見える。図４中では手前側である、板金１０３２の下部に、マザーボード１０１３が配置される。マザーボード１０１３にＲＦモジュール１０５が取り付けられるが、板金１０３２がＲＦモジュール１０５を覆う箇所にちょうど中空部１０３２２が来るように取り付けられる。中空部１０３２２は少なくとも、板金１０３２がＲＦモジュール１０５のアンテナ１０５２（後述）を覆う箇所に来ることが好ましい。
【００２２】
図５に、ＲＦモジュール１０５のブロック図を示す。ＲＦモジュール１０５は、ワイヤレスマウス１０４の制御信号のレシーバである。ＲＦモジュール１０５は、ＲＦチップ１０５１とアンテナ１０５２を有する。ＲＦチップ１０５１は、ＵＳＢマイクロチップユニットを兼ねており、マザーボード１０１３とＵＳＢインターフェイスにより接続する。接続インターフェイスがＵＳＢであることで比較的安価に部品が調達できる。
【００２３】
アンテナ１０５２の部分が、板金１０３２を肉抜きして形成される中空部１０３２２の下部に配置される。ワイヤレスマウス１０４の制御信号は、アンテナ１０５２が感受してＲＦチップ１０５１に伝える。そのとき、中空部１０３２２があることで、アンテナ１０５２が感受する制御信号の電波が板金１０３２によって吸収されにくくなる。したがって、本実施形態によれば、ワイヤレスマウスの受信手段を内蔵させた情報処理装置において電波吸収による性能劣化を防ぐことが可能となる。
【符号の説明】
【００２４】
１００    情報処理装置
１０１    第１の筐体
１０１１    上面筐体
１０１１１    中空部
１０１２    底面筐体
１０１３    マザーボード
１０２    第２の筐体
１０３    キーボード
１０３１    キートップ
１０３２    板金
１０３２１    ケーブル
１０３２２    中空部
１０４    ワイヤレスマウス
１０５    ＲＦモジュール
１０５１    ＲＦチップ
１０５２    アンテナ
【図１】
2014085906.tif 000003
【図２】
2014085906.tif 000004
【図３】
2014085906.tif 000005
【図４】
2014085906.tif 000006
【図５】
2014085906.tif 000007